【事件の表示】
　平成２年特許願第１９７４２０号「調光システム」拒絶査定に対する審判事件［平成４年３月１９日出願公開、特開平４−８７１８８］について、次のとおり審決する。
【結　論】
　本件審判の請求は、成り立たない。
【理　由】
１．手続の経緯・本願発明
　本願は、平成２年７月２５日の出願であって、その請求項１〜８に係る発明は、平成１２年１１月２０日付け手続補正書によって補正された明細書及び図面の記載からみて、その特許請求の範囲の請求項１〜８に記載された次のとおりのものと認める。（以下、「本願発明１〜８」という。）
【請求項１】「　照明負荷への供給電力を制御する電力制御手段と、照明負荷の調光レベルを電力制御手段に対して指示する調光レベル設定手段と、調光レベル設定手段に所望の調光レベルを入力する調光操作手段と、照明負荷のオン・オフを指示するオン・オフ操作手段とを備えた親器を設け、調光操作手段、オン・オフ操作手段は、それぞれ操作子がケースの外面に突出する押釦スイッチと、裏面が押釦スイッチの操作子に当接するとともに操作子の進退方向に揺動するようにケースに枢着されたピアノ型である片側支点のハンドルと、ハンドルをケースから引き離す向きに付勢する板ばねからなる復帰ばねとをそれぞれ備え、上記ハンドルの裏面にはケースに形成された係合孔に係合する形でハンドルをケースに枢着するフック脚が突設されて成ることを特徴とする調光システム。」
【請求項２】「　親器に信号線を介して接続され親器の調光操作手段およびオン・オフ操作手段と同機能を有する調光操作手段およびオン・オフ操作手段を備えた子器を備えることを特徴とする請求項１記載の調光システム。」
【請求項３】「　上記ハンドルがケースの外面に装着されていることを特徴とする請求項１または請求項２記載の調光システム。」
【請求項４】「　上記ハンドルをケースから引き離す向きに付勢するばね力を有しハンドルの裏面に一体に結合された復帰ばねを備えることを特徴とする請求項３記載の調光システム。」
【請求項５】「　上記復帰ばねは略コ形に形成され、合成樹脂よりなるハンドルの裏面に突設された固定脚が中央片に挿入されるとともに、固定脚の先端部が熱により潰されて成ることを特徴とする請求項４記載の調光システム。」
【請求項６】「　上記復帰ばねは略コ形に形成され、合成樹脂よりなるハンドルの裏面に突設された固定脚が中央片に圧入されて成ることを特徴とする請求項４記載の調光システム。」
【請求項７】「　上記復帰ばねの中央片には、ハンドルのケースからの浮き上がり量を規制するようにケースに設けた引掛孔に係合する引掛片が一体に形成されて成ることを特徴とする請求項５または請求項６記載の調光システム。」
【請求項８】「　ハンドルは合成樹脂により形成されるとともに、ケースは少なくとも一部がダイキャストにより形成され、ケースにおいてハンドルとの対向面の要所にはハンドルを位置決めする位置決め突起が突設されて成ることを特徴とする請求項３または請求項４記載の調光システム。」
　
２．刊行物
イ．刊行物１：
　これに対して、原査定の拒絶の理由に引用された本願出願の日前に頒布された特開昭５９−１３９７８０号公報（以下「刊行物１」という。）には、第１〜３図とともに以下のような事項が記載されている。
（あ）「第１図は、先行技術の電気回路図である。・・・照明灯２の導通角を親機３に設けられたトライアック４によって調光を行うことができ・・・、照明灯２を点灯および消灯するオンオフスイッチ５と、照明灯２を明るく変化するために操作されるアップスイッチ６と、照明灯２を暗くするために操作されるダウンスイッチ７とを含む。」（第１頁右下欄第２〜１０行）
（い）「第２図は、本発明の一実施例の電気回路図である。調光装置において、・・・電力は、調光されるべき照明灯２に、親機２０に設けられたトライアック２１を介して与えられる。トライアック２１の導通角を制御することによって、照明灯２の調光が行われる。」（第２頁左上欄第９〜１４行）
（う）「トライアック駆動回路５２は、・・・入力端子２３がハイレベルになるたび毎にトライアック２１は導通制御しまたは消弧制御され・・・、入力端子２４にハイレベルの信号が与えられているとき、・・・トライアック２１の導通角を増大して行き、・・・入力端子２５にハイレベルの信号が与えられると、・・・トライアック２１の導通角が徐々に小さく変化され・・・る。」（第２頁左上欄末行〜同頁右上欄第１２行）
（え）「比較回路Ｍ１，Ｍ２，Ｍ６はまた、ダイオードＤ３，Ｄ４に関連して接続されており、ダイオードＤ３，Ｄ４にはオンオフスイッチ３８が接続される。ダイオードＤ３，Ｄ４およびスイッチ３８の接続点には、入力端子２３が接続される。」（第２頁右下欄第６〜１１行）
（お）「比較回路Ｍ３の出力端子はダイオードＤ５を介して、アップスイッチ３９に接続されるとともに、入力端子２４に接続される。」（第２頁右下欄第１１〜１３行）
（か）「比較回路Ｍ４，Ｍ５の出力は、ＮＯＲゲート４１に与えられる。ＮＯＲゲート４１からの出力は、ダイオードＤ６を介して入力端子２５に与えられる。この入力端子２５には、ダウンスイッチ４０が接続されている。」（第２頁右下欄第１３〜１８行）
（き）「親機２０に設けられているオンオフスイッチ３８、アップスイッチ３９およびダウンスイッチ４０を操作してもまた、トライアック駆動回路５２は、トライアック２１の導通角を制御する。」（第４頁左上欄第１１〜１４行）
（く）オンオフスイッチ３８、アップスイッチ３９およびダウンスイッチ４０として、第２図に、自動復帰する押しボタンスイッチとして知られる記号が示されていること。
　上記（あ）〜（く）の記載及び第１〜２図の記載を総合すると、刊行物１には以下のとおりの発明が記載されているものと認められる。
「導通角を制御することによって、照明灯２の調光を行うトライアック２１と、トライアック２１の導通角を増大又は小さく変化させるトライアック駆動回路５２と、操作することによりトライアック駆動回路５２へトライアック２１の導通角を増大し又は小さく変化させるための信号を与えるアップスイッチ３９及びダウンスイッチ４０と、照明灯２を点灯および消灯するオンオフスイッチ３８を備えた親機を設けた、照明灯２とこれを調光する調光装置。」（以下「引用発明１」という。）
ロ．刊行物３：
　原査定の拒絶の理由に引用された本願出願の日前に頒布された実願昭５９−１３０６０７号（実開昭６２−１３３２号）のマイクロフイルム（以下「刊行物３」という。）には、照明器具用スイッチパネルの取付機構に関し、以下の事項が記載されていると認められる。
（あ）「スイッチパネル（１）を先ず下方に軽く押圧すると、該スイッチパネル（１）と接着当接された・・・下方のスイッチパネル（１’）も下に下がり、その下面の半球状の突起（３）は、スイッチボタン（４）を下方に押し、同時にスイッチパネル（１’）の下面を常時押圧するバネ（５）は更に強くスイッチパネル（１’）の下面を押圧する。そしてスイッチ（６）の中央のスイッチボタン（４）は、スイッチ（６）の中に没すると・・・スイッチの動作はＯＦＦよりＯＮにセットされる・・・、押圧したスイッチパネル（１）より手を離せば、スイッチパネル（１）は、バネ（５）の下方よりの押圧力によって上方に押し上げられるものであって、このときスイッチパネル（１’）の左端に形成される突出部（８）の上面の水平部は、スイッチカバー（７）の右端に形成される垂直部（７’）の下面に当接し、又スイッチパネル（１’）の右端に形成される半円状の凹部（９）は、前面パネル（１０）の後端の凸部（１０’）に当接し嵌合するもので、これによってスイッチパネル（１’）は該両当接部に保持安定するものであ」ること（明細書第３頁第１３行〜第４頁第１７行）。
（い）「スイッチ操作のため、すなわちスイッチパネルの上面を押圧」すること（明細書第５頁第１０〜１１行）。
　
　また、第１及び第２図から次の事項が記載されていることが認められる。（う）スイッチカバー（７）及びその垂直部（７’）につながる水平の部分を有し、そこに取り付けられるスイッチ（６）のスイッチボタン（４）は、前記水平の部分から上方に突出していること（第１図）。
（え）スイッチパネル（１）（１’）の水平部分に接続しているスイッチパネル（１）（１’）の右端は、下方へ屈曲して前面パネル（１０）後端の下側まで延び、そこに設けられる凸部（１０’）に、上記右端の凹部（９）が嵌合していること（第１図）。
（お）凸部（１０’）は円弧状を呈していて、これに当接するスイッチパネル（１）の右端は、この凸部（１０’）に係合する円弧状となっており、スイッチパネル(１’)右端の凹部（９）と前面パネル（１０）の凸部(１０’)とは、双方の円弧状部分が、巴状に深く嵌合していること（第１図）。
（か）スイッチパネル（１）の右端の下面は、前面パネル（１０）の凸部(１０’)の上面に接していること、
そして、第１図において、スイッチパネル（１’）の左端に形成される突出部（８）の上面の水平部は、スイッチカバー（７）の右端に形成される垂直部（７’）の下面に当接〔（あ）参照〕するのみで、押圧操作時下方へ直ちに移動可能であると認められることや、スイッチパネル(１’)右端に形成される円弧状の凹部（９）と前面パネル（１０）の後端の凸部(１０’)との当接嵌合は、上記突出部（８）の上面と上記垂直部（７’）の下面との当接とは異なり、凹部（９）の円弧状部分が凸部（１０’）と深く嵌合していることが認められること〔（え）（お）参照〕、
さらには、スイッチパネルの中央付近から左端よりに突起（３）が形成され、また、右端よりにバネ（５）が配置されることが示されており、スイッチパネルはその中央付近から左端よりで押されるものと認められること、等からみて、
スイッチパネル（１）（１’）の通常の操作時においては、右端で多少の上下動があるとしても、右端における嵌合状態は変化せず、大きくは左端が上下動することにより全体として揺動するものと解される。
　してみると、上記刊行物３のスイッチパネル（１）（１’）も、片側支点で揺動するものといえるから、本願発明１と同様、ピアノ型であるといい得るものである。
　上記（あ）〜（お）の記載及び第１〜２図の記載並びに上記（か）の事項を総合すると、刊行物３には以下のとおりの発明が記載されているものと認められる。
「スイッチボタン（４）がスイッチカバー（７）の垂直部分（７’）につながる水平の部分より上方に突出するスイッチ（６）と、下面がスイッチ（６）のスイッチボタン（７）に当接するとともにスイッチボタン（４）を押圧操作できるよう揺動する前面パネル（１０）に枢着されたピアノ型である片側支点のスイッチパネル（１）（１’）と、スイッチパネル（１）（１’）を上記水平の部分から引き離す向きに付勢するバネ（５）とを備え、スイッチパネル（１）（１’）の右端は下方に延び、前面パネル（１０）の後端の下側に設けられた凸部（１０’）と嵌合する、半円状の凹部（９）が設けられる照明器具用スイッチパネルの取付機構。」（以下「引用発明３」という。）　
　
３．対比・判断
本願発明１と引用発明１を対比すると、その機能・構造からみて、
後者の、「照明灯２」、「トライアック２１」、「トライアック駆動回路５２」、「アップスイッチ３９及びダウンスイッチ４０」、「オンオフスイッチ３８」、「親機」及び「照明灯２とこれを調光する調光装置」は、それぞれ、前者の、「照明負荷」、「電力制御手段」、「調光レベル設定手段」、「調光操作手段」、「オン・オフ操作手段」、「親器」及び「調光システム」に相当し、後者の「導通角を制御することによって、照明灯２の調光を行う」こととは、「照明負荷への供給電力を制御する」ことに他ならないから、
（一致点）
両者は、
「照明負荷への供給電力を制御する電力制御手段と、照明負荷の調光レベルを電力制御手段に対して指示する調光レベル設定手段と、調光レベル設定手段に所望の調光レベルを入力する調光操作手段と、照明負荷のオン・オフを指示するオン・オフ操作手段とを備えた親器を設けた調光システム」の点で一致し、
（相違点）
前者においては、調光操作手段、オン・オフ操作手段が、（ｉ）それぞれ操作子がケースの外面に突出する押釦スイッチと、裏面が押釦スイッチの操作子に当接するとともに操作子の進退方向に揺動するようにケースに枢着されたピアノ型である片側支点のハンドルと、ハンドルをケースから引き離す向きに付勢する板ばねからなる復帰ばねとをそれぞれ備え、（ｉｉ）上記ハンドルの裏面にはケースに形成された係合孔に係合する形でハンドルをケースに枢着するフック脚が突設されて成るものであるのに対して、後者においては、その構造が明らかでない点
で両者は相違する。
　
上記相違点について検討する。
　引用発明３の「スイッチボタン（４）」、「スイッチ（６）」、「スイッチパネル（１）（１’）」及び「バネ（５）」は、それぞれ本願発明１の「操作子」、「押釦スイッチ」、「ハンドル」及び「復帰ばね」にその機能・構造からみて相当し、引用発明３の「スイッチカバー（７）」と「垂直部分（７）」と「垂直部分（７）につながる水平の部分」と「前面パネル（１０）」は本願発明１の「ケース」に、引用発明３の「スイッチ（６）」が設けられる「スイッチカバー（７）の垂直部分（７’）につながる水平の部分の上方」は本願発明１の「ケースの外面」に、引用発明３のスイッチパネル（１’）の下面は本願発明１のハンドルの裏面に、引用発明３の「取付機構」は本願発明１の「操作手段」に、それぞれ、その機能・構造からみて相当すると認められるから、
引用発明３は、「操作子がケースの外面に突出する押釦スイッチと、裏面が押釦スイッチの操作子に当接するとともに操作子の進退方向に移動するようにケースに枢着されたピアノ型である片側支点のハンドルと、ハンドルをケースから引き離す向きに付勢する復帰ばねとをそれぞれ備え、上記ハンドルにはケースに係合する部分が設けられている操作手段」といえるものである。
　
　そして、引用発明１に示される調光システムにおける調光操作手段及びオン・オフ操作手段として、引用発明３に記載の操作手段を採用する程度のことは、同じ照明用の操作スイッチであることからみても、当業者にとって格別の創意を要するものとはいえない。
　
　引用発明３はフック脚を係合孔に係合させてハンドルをケースに枢着しているわけではないが、押釦スイッチの操作子を操作するハンドルの具体的構成として、裏面に、ケースに形成された係合孔に係合する形でハンドルをケースに枢着するフック脚が突設されて成ることについては、例えば、実願昭５９−１５３０６１号（実開昭６１−６８４３６号）のマイクロフイルム〔クランパ１９（本願発明１の「ケース」に相当する。以下同様。）の窓２７（「係合孔」）に係合する形で、操作ボタン２６（「ハンドル」）の裏面に突設された支点部２７（「フック脚」）を枢着して操作ボタンを片側支点で揺動させ、クランパ１９から突出したタクトスイッチ（「押釦スイッチ」）を動作させるロッド４１（「操作子」）を操作している。〕、実願昭６２−１６１６８号（実開昭６３−１２５３３１号）のマイクロフイルム〔パネル２（「ケース」）の凹部６（「係合孔」）に係合する形で、釦本体１１（「ハンドル」）の裏面に突設された弾性挿入部１２（「フック脚」）を枢着して操作ボタンを片側支点で揺動させ、タクトスイッチ２０（「押釦スイッチ」）の操作子を操作している。〕や実願昭５６−１４０７号（実開昭５７−１１５１３７号）のマイクロフイルム〔パネル１６（「ケース」）の取付け孔１７（「係合孔」）に係合する形で、操作子本体８（「ハンドル」）の裏面に突設された鈎状突部９（「フック脚」）を枢着して操作子本体８を片側支点で揺動させ、プッシュスイッチ２１（「押釦スイッチ」）のプッシュ作動子２２（「操作子」）を操作している。〕等に示されるように、押圧して操作するスイッチとして周知である。
　したがって、引用発明１に引用発明３を適用するにあたり、具体的なハンドルの動作、取付の機構を、上記周知の形状、構造に変更することは、当業者がその設計時に適宜行い得ることである。
　
　そして、本願発明１を全体としてみても、その効果が格別であるとはいえない。
　
　したがって、本願発明１は、引用発明１及び３並びに周知の技術に基づいて当業者が容易に発明をすることができたものである。
　
４．むすび
　以上のとおりであるから、本願発明１はその出願日前に頒布された刊行物１及び３に記載された発明並びに上記周知技術に基づいて当業者が容易に発明をすることができたものであるので、特許法第２９条第２項の規定により特許を受けることができない。
　よって、結論の通り審決する。